(57)【特許請求の範囲】
【請求項１】
シート引き出し口を天面に有する多面体のロール状シート収納箱において、
該引き出し口は、該引き出し口内にて相対する方向に突出したフラップを有し、かつ該相対するフラップの先端が互いに重なるように設けられ、シートを該相対するフラップ間から引き出し可能とするとともに、
上記相対するフラップのうちの少なくとも一方のフラップが、先端に角部を有し、
上記先端に角部を有するフラップが他方のフラップの外側になるように重ねられ、かつ上記シート引き出し口に、シート幅方向のスリットを備えたフィルムが貼られてなることを特徴とするロール状シート収納箱。
【請求項２】
前記引き出し口が天面の一部を切り取って開口されてなる請求項１に記載のロール状シート収納箱。
【請求項３】
前記シート引き出し口がロール状シートの全幅以上の範囲に渡って開口せしめられてなる請求項１又は２に記載のロール状シート収納箱。
【発明の詳細な説明】
【０００１】
【発明の属する技術分野】
本発明は、タオルペーパー、ティッシュペーパー等のロール状シート収納箱に関する。
【０００２】
【従来の技術】
従来、ロール状シートを所要量引き出して切断可能とする多面体のロール状シート収納箱として、実登録第３０１０４８３  号のものがある。この収納箱は、シートを引き出すためのシート引き出し口を天面に設け、引き出されたシートを切断するシート切断部を該シート引き出し口のエッジに設けている。
【０００３】
【発明が解決しようとする課題】
然しながら、従来技術には以下の如くの問題点がある。
▲１▼シート切断部がストレート状をなし、シートの全幅を同時に切断しようとするものであり、シートに加わる切断力がその全幅に分散して小となり、切断作業性が悪い。
【０００４】
▲２▼天面のシート引き出し口の形状にシート保持機能がない。従って、所要量のシートを引き出して切断した後、ロールが巻き戻ってしまい、次使用分のシートの先端部を保持できず、使用性が悪い。
【０００５】
▲３▼シート引き出し口がシート幅より狭い。このため、引き出されたシートの幅方向エッジがシート引き出し口の両端エッジに引っ掛かり、シートをスムースに引き出しにくい。
【０００６】
尚、実公平１−２８０６０  号公報には、ティッシュペーパー用容器として、容器の上面板に、内部に収容したペーパーの細長い引出口孔を構成するミシン目を施し、かつ前記上面板の内面に重なる重合片を連設し、該重合片の先端縁に前記細長い引出口孔の長手方向の一方の縁より突出し、引出口孔に露出する一対の引出口孔制限突部を形成したものが記載されている。この従来技術は、ティッシュペーパーを引出口孔の縁と制限突部との間に挟むことにより、ペーパーの容器内残量が減じた場合にもペーパーが容器内に落ちてしまうことを防止しようとするものである。然しながら、この従来技術にあっては、ティッシュペーパーを対象とするものであるから、ペーパーは既に  １枚毎に切断されて分離されており、内容物の切断に関するところが全くない。また、ロール状シートを対象とするものでないため、引出口孔における内容物の保持機能についてもロールの巻き戻り防止について考慮するところが全くない。
【０００７】
本発明の課題は、ロール状シート収納箱において、シートの切断作業性を向上するとともに、切断後のロールの巻き戻りを防止可能とすることにある。
【０００８】
また、本発明の課題は、ロール状シート収納箱において、シートの引き出し性を良好にすることにある。
【０００９】
【課題を解決するための手段】
請求項１に記載の本発明は、シート引き出し口を天面に有する多面体のロール状シート収納箱において、該引き出し口は、該引き出し口内にて相対する方向に突出したフラップを有し、かつ該相対するフラップの先端が互いに重なるように設けられ、シートを該相対するフラップ間から引き出し可能とするとともに、上記相対するフラップのうちの少なくとも一方のフラップが、先端に角部を有し、上記先端に角部を有するフラップが他方のフラップの外側になるように重ねられ、かつ上記シート引き出し口に、シート幅方向のスリットを備えたフィルムが貼られてなるようにしたものである。
【００１０】
請求項２に記載の本発明は、請求項１に記載の本発明において更に、前記引き出し口が天面の一部を切り取って開口されてなるようにしたものである。
【００１３】
請求項３に記載の本発明は、請求項１又は２に記載の本発明において更に、前記シート引き出し口がロール状シートの全幅以上の範囲に渡って開口せしめられてなるようにしたものである。
【００１４】
本発明によれば下記(1)〜(6)の作用がある。
(1)相対するフラップのうちの少なくとも一方が先端に角部を有し、この角部がシート切断部として機能するものとなる。従って、シートはその幅方向において上述の角部にあたる部分から切断開始するものとなる。このため、シートに加わる切断力が、切断開始部に集中してスムースに切断開始せしめられ、その後、切断域をシート幅方向に広げていくものとなり、切断作業性を向上できる。
【００１５】
(2)シート引き出し口に、相対して先端が互いに重なるフラップを設け、シートをこれらの相対するフラップ間から引き出し可能とした。従って、所要量のシートを引き出して切断した後、次使用分のシートの先端部は、これらの相対するフラップ間の先端間に挟まれて保持され、ロールの巻き戻りや過剰な引き出しを生ずることがない。即ち、次使用分のシートを取出し易く、使用性を向上できる。
【００１６】
(3)引き出し口は、収納箱の使用段階で天面の一部を切り取られて開口せしめられる。従って、収納箱は使用開始まで封止せしめられており、ロール状シートの清潔を維持できる。
【００１７】
(4)先端に角部を有するフラップが外側になるように設けられている。従って、シートを切断するためにシートを引き上げてフラップの先端角部に押し当てるとき、この押し当てを安定確実にでき、切断作業性を向上できる。
【００１８】
(5)所要量のシートを引き出して切断した後、次使用分のシートの先端部は、前述の相対するフラップのシート保持機能に加え、シート引き出し口に設けたフィルムのスリットにも保持され、ロールの巻き戻りや過剰な引き出しを生ずることがない。即ち、次使用分のシートを取出し易く、使用性を向上できる。
【００１９】
(6)シート引き出し口がシート幅と同等以上に広い。このため、シート引き出し時に、シートの幅方向エッジがシート引き出し口の両端エッジに引っ掛かる等がなく、シートをスムースに引き出しできる。
【００２０】
【発明の実施の形態】
図１は収納箱を示す模式図、図２は収納箱の使用状態を示す模式図、図３は収納箱の展開図、図４は天面フラップ貼合せ工程を示す模式図、図５は筒状箱形成状態を示す模式図、図６はロールセット状態を示す模式図、図７は端面フラップ折り込み状態を示す模式図、図８は端面フラップ折り込み状態を示す模式図、図９は差し込みフラップ差し込み状態を示す模式図、図１０は組立完了状態を示す模式図である。
【００２１】
ロール状シート収納箱１０は、図１〜図３に示す如く、例えばタオルペーパーのロール状シート１を所要量引き出して切断し、切断されたシート１を清掃等に供することを可能とするものである。
【００２２】
収納箱１０は、天面板１１、正面板１２、底面板１３、背面板１４、左右の端面板１５、１６を備えた板紙製直方六面体であり、ロール状シート１を収納する収納部２１（図６（Ｂ））を有し、収納部２１からシート１を引き出すためのシート引き出し口２２を天面１０Ａに有する。
【００２３】
このとき、収納箱１０は、天面板１１の裏面に貼合わされる裏天面フラップ１７を備え、天面１０Ａを天面板１１と裏天面フラップ１７の二重貼合せ構成としている。天面板１１は、シート１を使用者の手指でつかみ易くスムースに取出すのに十分な大きさの曲線状ミシン目からなる引き出し口形成部３１を備え、引き出し口形成部３１の一部には突出形成されて先端角部３２Ａを有するフラップ３２を備え、更に該天面板１１の裏面に塩化ビニルもしくはポリエチレン等からなるフィルム３３を貼着されている。フィルム３３は、シート幅方向のスリット３３Ａを備えている。他方、裏天面フラップ１７は、天面板１１の引き出し口形成部３１と略同一曲線状に切欠かれた引き出し口形成部４１を備え、引き出し口形成部４１の一部に突出形成されるフラップ４２を備える。天面板１１の裏面に裏天面フラップ１７が貼合わされたとき、引き出し口形成部３１と引き出し口形成部４１とはフィルム３３を挟んで合致し、引き出し口形成部３１のフラップ３２と引き出し口形成部４１のフラップ４２とは相対する方向に突出配置され、フラップ３２の先端角部３２Ａとフラップ４２の先端部４２Ａとは互いに重なるように配置される。このとき、本実施形態では、フラップ３２の先端角部３２Ａがフラップ４２の先端部４２Ａの外側になるように重ねられている。
【００２４】
これにより、収納箱１０の使用段階で、天面板１１のミシン目からなる引き出し口形成部３１を切取って開封すると、開封せしめられた引き出し口形成部３１と既に切欠き済の裏天面フラップ１７の引き出し口形成部４１とがシート１を取出すに十分な大きさのシート引き出し口２２を開口せしめるものとなる。そして、収納箱１０は、引き出し口２２内にて相対するように突出するフラップ３２、４２を有し、かつ相対するフラップ３２、４２の先端角部３２Ａ、先端部４２Ａが互いにシート引き出し口２２の中央部で重なり、シート１はこれらのフラップ３２、４２の間に挟まれて引き出され得るものとなる。
【００２５】
このとき、シート引き出し口２２にはフィルム３３が貼られていて、前述のスリット３３Ａをシート引き出し口２２の中央部に配置するものとなる。これにより、シート１は上述のフラップ３２、４２の間に挟まれながら、スリット３３Ａを通って引き出されるものとなる。
【００２６】
そして、シート引き出し口２２内にて突出するフラップ３２の先端角部３２Ａは、引き出されるシート１を押し当てられたとき、シート１に切断力を付与するシート切断部として機能するものとなる。
【００２７】
また、シート引き出し口２２は、好適には、ロール状シート１の全幅以上の範囲に渡って開口せしめられる。
【００２８】
収納箱１０は、以下の如くに使用される。
（１）  天面板１１のミシン目からなる引き出し口形成部３１を切取って開封し、シート引き出し口２２を形成する（図２（Ａ）、（Ｂ））。これにより、シート１を取出すに十分な大きさのシート引き出し口２２が開口せしめられ、フラップ３２、４２の先端角部３２Ａ、先端部４２Ａがシート引き出し口２２の中央部で互いに重なり、かつフィルム３３のスリット３３Ａがシート引き出し口２２の中央部に配置されるものとなる。
【００２９】
（２）  シート引き出し口２２から取出したシート１をフラップ３２、４２の間に挟みながら、フィルム３３のスリット３３Ａを通して引き出す。そして、シート１の所要量を、フラップ３２の先端角部３２Ａに押し当てて切断し、使用に供する（図２（Ｃ））。
【００３０】
（３）  上記（２）  のシート１の切断後、次使用分のシート１の先端部は、フラップ３２、４２の間に挟まれて保持され、かつフィルム３３のスリット３３Ａに挟まれて保持され、ロール１Ａの巻き戻りや過剰な引き出しを防止される。
【００３１】
以下、収納箱１０の組立工程について説明する。
収納箱１０は、展開状態で、天面板１１、正面板１２、底面板１３、背面板１４、左右の端面板１５、１６、裏天面フラップ１７、左右の端面板１５、１６に設けた差し込みフラップ１５Ａ、１６Ａ、左右の正面側の端面フラップ１８Ａ、１８Ａ、左右の背面側の端面フラップ１９Ａ、１９Ｂを罫線（図３の破線）を介して連結している。天面板１１は、前述の如くにミシン目状の引き出し口形成部３１と、フィルム３３を備えている。裏天面フラップ１７は、前述の如くに切欠き済の引き出し口形成部４１を備えている。然るに、収納箱１０は以下の如くに組立てられる。
【００３２】
（１）  図３の裏天面フラップ１７に示した斜線部に接着剤を塗布する。
【００３３】
（２）  天面板１１の裏面に裏天面フラップ１７を貼合わせる（図４）。
【００３４】
（３）  上記（２）  の天面板１１と裏天面フラップ１７を貼合わせた筒状体を起こして図５の状態とする。
【００３５】
（４）  上記（２）  の筒状体の一端側からロール状シート１を挿入する（図６）。
【００３６】
（５）  上記（４）  の筒状体の左右両端部で、背面側の端面フラップ１９Ａ、１９Ａを折る（図７）。
【００３７】
（６）  上記（５）  の筒状体の左右両端部で、正面側の端面フラップ１８Ａ、１８Ａを折る（図８）。
【００３８】
（７）  上記（６）  の筒状体の左右両端部で、端面板１５、１６を折り、その差し込みフラップ１５Ａ、１６Ａを差し込み（図９）、図１０の組立完了状態とする。
【００３９】
以下、本実施形態の作用について説明する。
▲１▼相対するフラップ３２、４２のうちの少なくとも一方が先端に先端角部３２Ａを有し、この先端角部３２Ａがシート切断部として機能するものとなる。従って、シートはその幅方向において上述の先端角部３２Ａにあたる部分から切断開始するものとなる。このため、シートに加わる切断力が、切断開始部に集中してスムースに切断開始せしめられ、その後、切断域をシート幅方向に広げていくものとなり、切断作業性を向上できる。
【００４０】
▲２▼シート引き出し口２２に、相対して先端が互いに重なるフラップ３２、４２を設け、シートをこれらの相対するフラップ３２、４２間から引き出し可能とした。従って、所要量のシートを引き出して切断した後、次使用分のシートの先端部は、これらの相対するフラップ３２、４２の先端部３２Ａ、４２Ａの間に挟まれて保持され、ロールの巻き戻りや過剰な引き出しを生ずることがない。即ち、次使用分のシートを取出し易く、使用性を向上できる。
【００４１】
▲３▼引き出し口２２は、収納箱１０の使用段階で天面１０Ａの一部を切り取られて開口せしめられる。従って、収納箱１０は使用開始まで封止せしめられており、ロール状シート１の清潔を維持できる。
【００４２】
▲４▼先端に角部３２Ａを有するフラップ３２が外側になるように設けられている。従って、シート１を切断するためにシート１を引き上げてフラップ３２の先端角部３２Ａに押し当てるとき、この押し当てを安定確実にでき、切断作業性を向上できる。
【００４３】
▲５▼所要量のシートを引き出して切断した後、次使用分のシートの先端部は、前述の相対するフラップ３２、４２のシート保持機能に加え、シート引き出し口２２に設けたフィルム３３のスリット３３Ａにも保持され、ロールの巻き戻りや過剰な引き出しを生ずることがない。即ち、次使用分のシートを取出し易く、使用性を向上できる。
【００４４】
また、このフィルム３３を収納箱１０の開封後の収納箱１０の内部への異物侵入を防止し、収納箱１０の衛生品質を向上可能とする。
【００４５】
▲６▼シート引き出し口２２がシート幅と同等以上に広い。このため、シート引き出し時に、シートの幅方向エッジがシート引き出し口２２の両端エッジに引っ掛かる等がなく、シートをスムースに引き出しできる。
【００４６】
尚、収納箱１０にあっては、左右両側の端面板１５、１６を接着剤によらず、差し込みフラップ１５Ａ、１６Ａの差し込みにより組立て可能としている。従って、端面板１５、１６は繰り返し開閉してロール状シート１を箱１０内にセットでき、収納箱１０を詰め替え可能容器として繰り返し使用できる。
【００４７】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、収納箱１０の左右両端部の例えば端面フラップ１９Ａ、１９Ａにロール状シート１の紙管を嵌入して該ロール状シート１を回転支持可能とする支持片を設け、ロール状シート１を引き出し回転可能とするものであっても良い。
【００４８】
また、収納箱１０にあっては、相対するフラップ（３２、４２）の両方に、シート切断部として機能する角部を備えても良い。また、この角部は鋸歯状であっても良い。
【００４９】
また、収納箱１０にあっては、シート切断部として機能するフラップ（３２、４２）に補強フラップを貼合せ、シート切断部の破損防止、切味向上を図っても良い。
【００５０】
また、収納箱１０にあっては、シート引き出し口にフィルムを設けないものであっても良い。また、収納箱１０にあっては、シート引き出し口を開閉するために、箱体にヒンジ結合される等の蓋フラップを備えるものであっても良い。
【００５１】
また、収納箱１０にあっては、ロール状シートが適当な間隔毎にミシン目等を設け、切断し易いよう加工されていることが好ましい。
【００５２】
また、収納箱１０にあっては、天面が使用時に横に位置していても良く、また底面を上に固定される場合は天面が底部に位置していても使用可能で、引き出し口でのシートの保持及びシートの切断が良好に行える。
【００５３】
【発明の効果】
以上のように本発明によれば、ロール状シート収納箱において、シートの切断作業性を向上するとともに、切断後のロールの巻き戻りを防止可能とすることができる。
【００５４】
また、本発明によれば、ロール状シート収納箱において、シートの引き出し性を良好にすることができる。
【図面の簡単な説明】
【図１】図１は収納箱を示す模式図である。
【図２】図２は収納箱の使用状態を示す模式図であえる。
【図３】図３は収納箱の展開図である。
【図４】図４は天面フラップ貼合せ工程を示す模式図である。
【図５】図５は筒状箱形成状態を示す模式図である。
【図６】図６はロールセット状態を示す模式図である。
【図７】図７は端面フラップ折り込み状態を示す模式図である。
【図８】図８は端面フラップ折り込み状態を示す模式図である。
【図９】図９は差し込みフラップ差し込み状態を示す模式図である。
【図１０】図１０は組立完了状態を示す模式図である。
【符号の説明】
１  ロール状シート
１０  ロール状シート収納箱
１０Ａ  天面
１１  天面板
１７  裏天面フラップ
２２  シート引き出し口
３２、４２  フラップ
３２Ａ  先端角部
３３  フィルム
３３Ａ  スリット
４２  先端部
【図１】
0003613494.tif 000002
【図２】
0003613494.tif 000003
【図３】
0003613494.tif 000004
【図４】
0003613494.tif 000005
【図５】
0003613494.tif 000006
【図６】
0003613494.tif 000007
【図７】
0003613494.tif 000008
【図８】
0003613494.tif 000009
【図９】
0003613494.tif 000010
【図１０】
0003613494.tif 000011